(57)【特許請求の範囲】
【請求項１】
長手方向及び横方向の支持要素（１３，１４）から成る骨格（１２）を含む、
栽培物の上に広がり得る風雨保護の形式の作物保護装置であって、前記骨格の内側で少なくとも一つの折畳み可能な防水作物保護カーテン（１６）が折畳み位置から引き広げられ、そして逆に引き広げられた位置から折り畳まれ、前記カーテンはコネクター（２９）を介して骨格の長手方向支持要素（１３）に取り付けられた支持紐（３０）に吊るされている作物保護装置において、
前記カーテン（１６）は前記支持紐（３０）と直角方向の前記カーテンに沿って伸びる基本的に平行な列を作る可動の支持具（９）により前記カーテンの長さの重要な部分に沿って支えられていること、及び
引き広げられた位置における前記カーテン（１６）は前記支持具（９）間に溝状の窪み（３６）を形成するよう配置されていることを特徴とする作物保護装置。
【請求項２】
前記支持具（９）のうちの少なくとも幾つかはカーテンの引き広げられた位置における溝状の窪みの弧状の幅より短い長さのスペーサー（３７）により分割されていることを特徴とする請求の範囲第１項に記載された作物保護装置。
【請求項３】
前記支持具（９）は伸張用帯線（２２）を備え、前記伸張用帯線（２２）は前記支持紐（３０）を横切って直角方向に移動可能に２つの前記支持要素（１４）間に張られている、ことを特徴とする請求の範囲第１項に記載された作物保護装置。
【請求項４】
前記支持具（９）は前記骨格（１２）の前記支持紐（３０）に自由に吊るされたバー（５４）であり、そのバーにカーテンの上方折畳み部分が固定されていることを特徴とする請求の範囲第１項に記載された作物保護装置。
【請求項５】
更に前記支持要素（１４）に沿ってガイド（２７）を備え、そして前記ガイド（２７）の中を動くために前記伸張用帯線（２２）の両端に摩擦減少具（２６）を備えていることを特徴とする請求の範囲第３項に記載された作物保護装置。
【請求項６】
前記カーテン（１６）が上方折畳み部分（３１）を備えており、そしてそこにおいて前記伸張用帯線（２２）が前記上方折畳み部分（３１）か又は前記カーテン（１６）のそれらの間に配置されていることを特徴とする請求の範囲第１項に記載された作物保護装置。
【請求項７】
前記カーテンから分離した前記伸張用帯線（２２）は前記カーテン（１６）の前記上方折畳み部分（３１）の少なくとも一部を覆うコネクター（２９ｂ）に取り付け可能であり、前記コネクターは前記カーテンと一体に形成されていることを特徴とする請求の範囲第３項に記載された作物保護装置。
【請求項８】
前記コネクター（２９）は前記支持紐（３０）と前記伸張用帯線（２２）の交差点に配置されていることを特徴とする請求の範囲第３項または第４項に記載された作物保護装置。
【請求項９】
前記コネクター（２９ｂ）は、前記伸張用帯線（２２）の長手方向に動き得るアタッチメントのためのくぼみ（４７）を備えていることを特徴とする請求の範囲第６項に記載された作物保護装置。
【請求項１０】
前記コネクター（２９ｂ）は前記カーテンの組立位置における前記コネクターに前記伸張用帯線または前記補強紐（２２）の引張力を伝達するための片持梁（５３）を含むように形成されていることを特徴とする請求の範囲第９項に記載された作物保護装置。
【請求項１１】
前記カーテン（１６）の長手方向の側縁の一方は前記骨格（２２）の長手方向の支持要素（１３ａ）の一つに取り付けられていること、及び前記カーテンの他方の側縁は駆動機構（３０，３８）により長手方向の前記支持要素（１３ａ，１３ｂ）の間で動き得るキャリヤー（３３）に固定されていることを特徴とする請求の範囲第１項に記載された作物保護装置。
【請求項１２】
静止した排水溝（５０）は水の排出を形成するよう引き広げられ得るカーテンの下で前記骨格（１２）の前記第２の長手方向支持要素（１３ｂ）に沿って配置されていること、及び前記カーテンは前記排水溝の幅より狭い細長小片が開いている開き位置において前記排水溝とともに排水換気開口部を形成するよう配置されていることを特徴とする請求の範囲第１項に記載された作物保護装置。
【請求項１３】
前記スペーサー（３７）は、前記カーテン（１６）の前記上部折畳み部分（３１）同士の間で前記溝状の窪み（３６）が形成される時、前記カーテン（１６）の前記上方折畳み部分（３１）同士の間隔に対応した間隔を持つ一連の連続したループ（５１）を含むループ・ロープから成ることを特徴とする請求の範囲第１項に記載された作物保護装置。
【請求項１４】
栽培のための作物保護として折畳み可能な作物保護装置であって、長手方向及び横方向に高抗張力を持ち、前記コネクター（２９）を介してカーテン（１６）と直角方向に張られた多くの前記支持紐（３０）に吊るされ、折畳み位置から引き広げられた位置まで引き広げられ、そして逆に引き広げられた位置から折畳み位置まで折り畳まれ、その際細長小片またはリボン及び／または織糸から成る織物骨格（１８）を含んでいる折畳み可能な前記カーテン（１６）において、前記カーテン（１６）は防水積層で作られており、そして前記カーテン（１６）は長さに沿って伸びる基本的に平行な列を作る、前記カーテンに対して動き得る前記伸張用帯線（２２）または補強紐を含んでいること、
前記カーテン（１６）は前記カーテン（１６）の引き広げられた位置において前記溝状の窪み（３６）を形成する手段であるスペーサー（３７）を備えていること、及び
前記伸張用帯線（２２）は前記カーテン（１６）と一体であり、そして前記上方折畳み部分（３１）及び／または前記カーテン（１６）の前記溝状の窪み（３６）の弧状成形部分に配置されていることを特徴とする折畳み可能な請求の範囲第１項に記載された作物保護装置。
【請求項１５】
請求の範囲第１４項に記載された、そして前記骨格（１８）により固着された可撓細長小片のリボン（１７）を含むタイプの作物保護カーテンにおいて、
前記カーテン（１６）は少なくとも部分的に熔融された被覆材料と前記カーテン（１６）をともに押圧することにより作られた積層を形成する、少なくとも片側は防水層（２３）により被覆されていることを特徴とする作物保護装置。
【請求項１６】
前記可撓細長小片のリボン（１７）のうちの幾つかは長手方向の前記伸張用帯線または前記補強紐（２２）で補強されており、前記可撓細長小片のリボン（１７）は、前記伸張用帯線（２２）が積層の長手方向に自由に動き得るよう、被覆材料が適用されている側に対面したそれぞれの伸張用帯線（２２）を被覆するよう成形されていることを特徴とする請求の範囲第１４項に記載された作物保護装置。
【請求項１７】
前記伸張用帯線（２２）が前記防水層（２３）が伸張用帯線（２２）にくっつくのを防ぐ表面を持つか又はくっつくのを防ぐ材料により被覆されていることを特徴とする請求の範囲第１５項に記載された作物保護装置。
【請求項１８】
前記カーテン（１６）又は前記カーテン（１６）の中間弧状形成部分の回りの領域にその長さ及び／または幅において電源に差し込むことのできる電気抵抗ワイヤが備えられていることを特徴とする請求の範囲第１５項に記載された作物保護装置。
【発明の詳細な説明】
本発明は、少なくとも一つの折畳み可能な防水作物保護カーテンを折畳み位置から引き広げ、そして逆に引き広げた位置から折畳み位置に折り畳むことができる少なくとも一つの長方形の領域を形成する長手方向及び横方向の梁の骨組みにより構成される、栽培物の上に引き広げることのできる風雨保護装置形式の作物保護装置に関するものである。本発明はまた折畳み可能な作物保護カーテンに関するものである。
発明の背景
今日までグリーンハウスは従来からガラスハウス、すなわち両側面と屋根をガガラス張りにした、鋼材要素を骨格に組み立てた物であった。このタイプのグリーンハウスの欠点は建てるのにコストがかかり過ぎること、晴れの日には中が暖か過ぎて温度調整手段を必要とすること、断熱が非常に悪いということは、冬季に多量の暖房を必要とすることになり、それが水の凝縮を発生させること、大規模な動力化された土壌作業には適さないことなどである。近年、折畳み可能なグリーンハウス・カーテンがグリーンハウスの鞍状の屋根の下に取り付けられるケースが増えている。グリーンハウス・カーテンは日蔭の量並びに温度条件及び湿度を一定の範囲に調節するために使用できる。
米国特許ＵＳ−５，２６５，３７３に記載されたタイプの簡易作物栽培システムが提案されている。このシステムは、日よけカーテンがフレーム領域全体を覆ったり、それを開放したりすることのできるよう、二重折畳み作物保護カーテンが取り付けられる、開放された水平な、または若干傾斜したフレーム領域を形成する骨組みで、頂部で束ねられた棒材構造より構成される。もし霜からの保護が必要ならば、日よけカーテンは操作用コードから外すことができ、同じフレーム領域内に別のカーテンを操作用コードに取り付けられることができる。もし日よけカーテンが網目状であれば、水はそこに溜まることができず、しかしもしカーテンが霜からの保護のためであれば、防水性でなければならない。問題は水溜まりの形成なしに水をはけさせる方法と細いワイヤーのシステムで雪の重量を支える方法である。これらの問題への解はこの明細書には記載されていない。
欧州特許第ＥＰ−ＡＩ−０２８２８２からは、例えばグリーンハウスのようなホール形式の建物のための断熱が公知である。希望どおりにグリーンハウスのガラス屋根または側面の内側を断熱するために使用することができるようにジグザグ・パターンに折畳み可能な発泡フィルムにより構成される、そのフィルムはワイヤーのホルダーを介して吊るされ、フィルムの折畳み部分の開口幅はジグザグの折畳み部分の間に取り付けられたスペーサーの長さを変えることにより調節することができる。折畳み部分の底部及び上部の両方に、凝縮水を排出するため、または多重フィルムを換気するためにフィルム内に穴がある。
カナダ特許ＣＡ−ＡＩ−２，０９４，７７５は、膜の形式に収縮可能な屋根のための排水システムの提案で、ファスナーで取り付けられた膜を張った屋根トラスを有するグリーンハウスの屋根の縁に平行で等間隔にワイヤーが張られたものである。他と異なってゆったりした膜を取り付けるこの方法は、特に屋根トラスの傾斜が小さい場合に大量に水が溜まることができるように４点で吊るされた多数の殻形状の凹みを形成することを意味する。
発明の目的とその最も重要な特徴
本発明の目的は、作物保護装置、及び太陽光線を通す性質を持ち、凝縮水を毛細血管効果によりその下側に拘束することができ、水溜まりが形成されないよう十分伸張することができ、そして雪の荷重を避けるようにデザインされた折畳み可能な防水作物保護カーテンを完成することがある。これは請求の範囲に示された特徴により達成されている。
図面の説明
以下に本発明は図面を参照していくつかの例示によりさらに詳細に説明されるだろう。
第１図は本発明による作物保護カーテンを付けた作物保護装置の斜視図を示し、部分的にカーテンを閉じ、部分的にカーテンを開いている状態を示す。
第２図はプラスチック被覆で積層される前のかぎ針で編まれたカーテンの網目デザインを拡大して概念的に示している。
第３図は積層後の第２図に示すカーテンの横断図を示す。
第４ａ図、第４ｂ図及び第４ｃ図は積層前の三つのかぎ針編みカーテンの実施例を拡大して概念的に示している。
第５図は作物保護カーテンが引き広げられた位置にある、第１図に示す作物保護装置のフレーム領域の平面図を示す。
第６図は第５図のＶＩ−ＶＩ線に沿う断念図を示す。
第７図はカーテンが引き込み位置にある、第５図に示す作物保護装置の通し部分の横断面図を示す。
第８図は第５図のＶＩＩＩ−ＶＩＩＩ線に沿う横断面を示す。
第９図はカーテンが引き広げられた位置にある、本発明による変形された作物保護装置の通し部分の横断面図を示す。
第１０図はカーテンが引き込み位置にある、第９図に類似した部分の横断面図を示す。
第１１図はカーテンが非対称に引き広げられた、別の変形された作物保護装置の通し部分の横断面図を示す。
第１２図はさらに拡大した、第１図のＸＩＩ−ＸＩＩ線に沿った横断面図を示す。
第１３図は代案コネクターの正面図を示す。
第１４図は第１３図のＸＩＶ−ＸＩＶ線に沿った横断面を示す。
第１５図はスペーサーの短い断面を示す。
第１６図は第１図のＸＶＩ−ＸＶＩ線に沿った横断面を示す。
第１７図は鞍状の屋根を持ち、作物保護カーテンが引き込み位置にある、本発明による変形された作物保護装置の斜視図を示す。
第１８図は本発明による別の変形例の断面図示す。
実施例の説明
第１図において、長手方向及び横方向の支持部材１３，１４から成る骨格１２を支える、間隔を置いて多数並べられた柱１１を含む作物保護装置１０が示されている。骨格１２は少なくとも一つの折畳み可能な防水作物保護カーテン１６が折畳み位置（領域１５ｂに示す）から領域１５ａ全体にわたる位置に引き広げられるいくつかの長方形領域１５を形成する。
第２図及び第３図に示すカーテン１６は織物技術により作られた織物骨格１８を形成する織糸によりつななぎ合わされた多数のリボン１７により構成される。リボンが基本的に連続面を形成するようリボン同士を細い織糸だけで互いに縁と縁をしっかりとつなぎ合わされて配列されている。網目デザインを示すため、リボン１７同士の間隔は図では誇張されている。リボンをできるだけ十分に固定するため、織物骨格はリボンの両側で長手方向のつなぎ糸１９と横方向の固定糸２０及び２１とから成っている。
カーテンが天候や風による力に抵抗するため、また水がはけるのを妨げる好ましくない折曲がり部分の発生を防ぐため、フレーム領域１５においてカーテンが引き張られることが必要である。その目的のため、リボンは等間隔、例えば３０〜４０ｃｍの間隔で配置された伸張用帯線２２により補強され、その伸張用帯線の幅はリボン１７ａの幅と等しいか、カーテンの片側で伸張用帯線を覆うようその幅より小さい。
こうして作られたカーテンは次に、好適にはカーテン中の織糸材料、そしておそらくはまた細長小片とも同じ種類のしかるべきプラスチック材料の表層２３により片側を覆われる。それ自身適当であることがわかっている材料のグループはポリオレフィンであり、その製品グループの中にはポリエチレンやポリプロピレンが含まれる。プラスチックの層または積層は、底部側がまだ或程度の織物の性質を保持しているのに対して頂部側が滑らかな防水面を有するように、２個のロールの間の加圧領域内の軟化プラスチックをカーテン中に押し込むことにより適切に作られる。リボン１７は、伸張用帯線以外のリボンを持つ他の織糸骨格１８が、織物骨格やまた或程度のリボンが積層中に補強材を含むプラスチックにがっちりと固着されるのに対し伸張用帯線が長手方向に動き得るように、伸張用帯線２２がプラスチック材料中に鋳込まれるのを防ぐ目的を有する。
カーテンをかぎ針で編む代わりに、カーテンはまた第４ａ図に従って縦糸及び横糸の両方の方向にリボン１７で織ることもできる。別の実施例−第４ｂ図−では、横糸が織物繊維２５で構成されるのに対し、縦糸のみがリボン１７で構成される。第三の実施例−第４ｃ図−によれば、横糸が第４ｃ図に示すような二つまたは四つのよじれた部分縛りの形式の織糸２５で構成されるのに対し、縦糸は補強糸２４により強化されることが可能なリボン１７で構成される。次に織られたカーテンは上記の方法でプラスチック層２３で積層される。またここで伸張用帯線２２は伸張用帯線がプラスチックでカーテンを被覆した後でもカーテン内を長手方向に自由に動き得るようにリボン１７により片側または両側に保護されるカーテンの中に織り込まれてしまっている。
伸張用帯線２２はまた表層が積層作業中に伸張用帯線にくっつくのを防ぐ材料で被覆することができる。それらは例えばテフロンのような材料で全体を構成することもできる。
カーテンを構成する細長小片を選択する場合、多くの異なった要求、すなわち放出性が低いとか、透明か、半透明か、特に紫外線遮光性か、または他の特定の様式であるべきかどうかにより決定される。例えばリボン材料が難燃性であることも一つの要件となり得る。
もしカーテンが水の凝縮を防ぐべきであるなら、その下側は、水を吸収し、そして毛細管作用によりそれを運び去ることのできる、例えば上記の織物の性質の繊維システムでなければならない。もし防水層で両側を被覆することが望まれるなら、凝縮水は例えばフロック加工された繊維被覆により拘束することができる。凝縮水のしたたりを防ぐ、または少なくとも滴りを減らす別の方法は表面張力減少剤をポリマーに添加することである。
第５図、第６図及び第７図に示す実施例において、伸張用帯線２２はその伸張用帯線が伸張用帯線と補強糸の両方の機能を持つカーテン１６と一体となっている。伸張用帯線は両端で自由であり、両端のそれぞれは横方向の支持要素１４に取り付けられたガイド２７と転がり接触をするランナー２６に取り付けられている。ランナー２６は支持要素１４の間の伸張用帯線２２を伸張することを可能にする伸張装置２８を備えている。それらの部分はともに支持装置９を形成する。
カーテン１６は伸張用帯線と直角方向に配置された支持紐３０により支えられたコネクター２９を経由して伸張用帯線２２の間に４０〜６０ｃｍの間隔を備えている。支持紐３０は伸張用帯線２２より幾分高いレベルで長手方向支持要素１３ａに固定されている。この実施例において、コネクター２９はフックが伸張用帯線２２の下を把持するようにカーテンに取り付けられている（国際特許ＷＯ９２／１２６２１に記載されたものに関して変更された）フック２９ａで構成されており、そのことはフックがカーテンにしっかりと固定されてはいるがなおカーテンに関してその長さに沿って動き得ることを意味している。この関係はまたそのカーテンが伸張用帯線２２に沿って不動の上部折畳み部分３１に分割されているのに対し、伸張用帯線２２の間のカーテンはその下部３２においてよりゆるい折畳みを形成することを意味している。
カーテン１６を動かすことは、滑動シュー３４を介して支持紐３０により支えられる、そしてその両端において補強糸２２ａとランナー２６ａを介してガイド２７の中でキャリヤー３３を移動することで成し遂げられる。例えば２〜３メートルの間隔で離れた、そして外側支持要素１３ａに取り付けられたプーリー３８の回りを移動する多くの無端引き紐３５を介して、キャリヤー３３は支持要素の間のガイド２７に沿って運動することができ、それによりカーテン１６は、長手方向の支持要素１３ａに隣接する第７図に示すそれらの折畳み位置から、キャリヤーが第６図に示すような同一のフレーム領域１５内の反対側の支持要素１３ａまたは１３ｂに位置するそれらの引き広げ位置まで引き広げることができる。外側長手方向支持要素１３ａは支持紐３０のためのアタッチメントとしての役目を持ち、これに対し内側長手方向支持要素１３ｂは第１２図に示すようなカーテン１６の端縁部１６ａの一つに対するアタッチメント３９としての役目を持つ。カーテンを動かすことは、図にはないモータによりプーリー３８の一つを駆動することで適切に達成される。もちろん、異なるフレーム領域１５においていくつかのカーテンを組み合わせ、それらを同時に動かすことは可能である。
アタッチメント３９から離れた側の荷重支持梁１３ｂの側面はＬ形状のフランジ４０の形式であり、そのフランジの自由端において排水溝４２のための別のアタッチメント４１があり、その排水溝の反対側端部は荷重支持梁１３ｂに取り付けられた支え４３により支えられている。多くの使用状況において、また降雨時にもカーテンの下の空間を換気することが可能であり、そしてその目的のためカーテンは開口することができ、その隙間は排水換気開口が得られるよう排水溝４２の幅より幾分小さい。
引き広げられた位置において、カーテンの端部はキャリヤーで第１２図のＬ形状のフランジの角部４４に接して閉じ、かくして排水溝４２と重なる。示された実施例において、引き広げられたカーテン１６は平面ではなく、むしろ伸張用帯線２２のレベルで溝状の窪み頂部とそれらの間の溝状の窪み底部とで長手方向溝状の窪み３６を形成する。特有の溝状の窪み・プロフィルを得るため、溝状の窪み頂部の間に溝状の窪みの弧状の幅より短い長さの可撓性のスペーサー３７がある。そのためスペーサー３７はカーテンが伸張用帯線の間で溝状の窪み３６を形成するよう伸張を制限する。平面と較べてのこれの利点は、より広い平面上に水ポケットが容易に形成され、それがカーテンまたは作物保護装置全体がこわれるほどに大きくならないように排水を指定された方法で制御することである。本発明による溝状の窪みは基本的にそれらの全長に亘って支えられ、約３０〜４０ｃｍのＣ−Ｃ間隔を持つ支持紐３０に吊るされる。この結果、どんなに激しい雨の時でさえも水ポケットが形成されることはない。スペーサー３７は例えば伸張用帯線２２の間隔に対応する互いに等しい間隔で配置された連続する一連のかぎ針編みのループ５１を持つロープから成る第１５図に示すいわゆるループ・ロープで構成される適切な糸、リボンまたはそれらの類似物である。ループ５１はコネクター２９の上を滑動し、それにより溝状の窪みの間隔が決定される。
伸張用帯線２２は、互いに平行で、そして隣同士例えば４０〜５０ｃｍの比較的短い距離にある位置では、支持要素１４の間でぴんと張った引き広げられた位置において好天の間はカーテンが完全に平らに引き広げられることができること、すなわちスペーサーが存在しないこと、そして降雨時は水の荷重でのみ溝状の窪みが形成されることを意味する。
伸張用帯線２２は必ずしも前述の実施例で示したように溝状の窪み頂部に取り付けられる必要はなく、丁度カーテン軌道１６の上部折畳み部分３１の間にある、第９図、第１０図及び第１１図に示すような溝状の窪みの底部に取り付けることができ、その場合、ガイド２７はより低いレベルに置かれる。より長い距離にわたってアタッチメントに荷重を分布させる補張糸２２ａは上方折畳み部分３１の中に設けられている。上部折畳み部分３１ではなく溝状の窪み底部に伸張用帯線２２を置く理由は溝状の窪み底部がよく伸張され、そのため溝状の窪み３６内の折曲がりを防ぐことができるためである。さらに引き広げられた位置におけるカーテンは自然の溝状の窪み３６を形成するので、スペーサー３７は必要ではない。
伸張用帯線２２はまた第１１図に示すように上方折畳み部分３１に関して非対称に配置することができ、それにより折り畳まれたカーテン・パケットの幅は前述の実施例に比べて減少させることができる。伸張用帯線は、上方折畳み部分３１の中及びそれらの間の両方に設けることも可能である。
コネクター２９は、カーテンに手動用のフック２９ａとして、または第１３図及び第１４図に示すようにしかるべきプラスチック材料のクリップ２９ｂとして、多く異なった方法で成形することができる。クリップはＵ字形状の横断面を持ち、そのシャンク４５の間に伸張用帯線２２または補強糸２２ａを付けたカーテン１６を挟むことができる。２個のリベットまたは二重リベット４６がそのシャンクの穴に、そしてカーテンを貫通して挿入されている。カーテンをしっかりと掴むそれ自身のピン留め効果は種々の方法で得ることができる。示された実施例において、シャンクの圧力はリベットの頭が形成されるように熱を使用しながら同時にリベットの端部をかしめることができるトング（図示せず）により達成される。伸張用帯線と向かい合うシャンクの内面は伸張用帯線２２がその長さに沿って自由に動き得るのに十分大きいくぼみ４７を形成する。くぼみ４７はカーテンがクランプされるシャンク４５の間の隙間に通じる通路において片持梁５３の役目を果たす。伸張用帯線はカーテン１６と一体とすることができ、またルーズにして例えばカーテンを伸張用帯線の上に置き、コネクター２９により伸張用帯線に固定する前に支持要素の間ですでに張らせておくことができる。
その上部において、クリップ２９ｂはフックの自由端において幅広い部分４９を備えたフック４８と一体で成形され、その幅広い部分はフックがその接続位置から抜け出ないよう保持することができるのに相応しい形状のくぼみの中に挿入することができる。フック４８は支持紐３０に掛けられ、保持される。クリップからフック４８に至る間に、クリップ２９ｂはスペーサー３７のループ５１が回りに取り付けられるネック５０を有する。
骨格１２にはカーテンの溝状の窪み３６が十分な排水が得られる程度に傾斜するよう支持要素の長さの方向に軽い傾斜、例えば２度の傾斜をつけられている。横方向支持要素１４に沿う溝状の窪みの下端において、水を排水管（図示せず）に送る排水溝５２が設けられている。
第１７図に示すように、本発明は平らな屋根を持つ作物保護装置に限定せず、むしろ鞍状屋根にも適用することができる。その場合、切妻屋根トラスの上部フレームは横方向の支持要素１４と長手方向の支持要素１３の主棒に相当するのに対し、傾斜した鞍状屋根では領域１５の各フレームが屋根の一部を形成する。伸張用帯線２２はそのため上部フレームの間で張られ、支持紐３０は鞍状屋根の傾斜に追随する。第６図による実施例と同様の方法で、カーテン軌道は第一主棒１３ａから支持要素１３ｂに相当する屋根の棟に、そこから同様に支持要素１３ｂでもある屋根梁へ、それから上に次の屋根棟１３ｂへ、等終端の主棒１３ａまで連続的に張られている。１００メートル以上の長さに及ぶ作物保護装置は完全に可能である。各フレーム領域におけるカーテンのすべては同時に動かすことができ、そして単独作業としても引き広げたり折り畳んだりすることができる。
第１７図に示す例では、伸張用帯線が排水方向に対して横向きに向いており、実際には溝状の窪みの形式が望めないため、カーテンは、基本的に平面として引き広げられる。向かい合って傾斜した二つのフレーム領域１５の間の溝状の窪みの谷部、すなわち屋根梁１３ｂとして作用する支持要素は、溝状の窪み内の水が流れ去ることができるようにわずかに傾斜すべきである。
第一例として雪の場合、作物保護のための通常の熱は厚い積雪が形成されないように雪を溶かすべきであり、もしその熱で十分でなければ、長手方向及び／または横方向のカーテン内電線は電源（代案として低電圧ソース）に接続することができ、それによりカーテンを直接加熱することができる。
前記の例では、カーテンを引き広げることは伸張用帯線２２により達成され、その伸張用帯線はランナー２６またはその類似物により骨格１２の横方向支持要素１４に沿って動くことができる。第１８図において、伸張用帯線２２はバー５４に置き換えられ、そのバースはカーテンの上部折畳み部分に固定され、または他の方法で接着される。そのバーの目的は横方向支持要素１４の間の全長に沿ってその支持要素につなぐことなくカーテンを引き広げたままにすることである。バー５４はコネクター２９を介して、例えばフック２９ａを介して支持紐３０により移動する。
代案として、バー５４は、バー５４が横方向に伸びるキャリヤーを構成する第１３図及び第１４図のクリップ２９ｂと類似する方法で強固な接続装置としてデザインすることができる。
参照番号リスト
９    支持具            １０    作物保護装置
１１    柱                １２    骨格
１３    長手方向支持要素  １４    横方向支持要素
１５    長方形領域        １６    作物保護カーテン
１７    リボン            １８    骨格
１９    つなぎ糸          ２０    固定糸
２１    固定糸            ２２    伸張用帯線
２２ａ  補強糸            ２３    表層＝プラスチック被覆
２４    補強糸            ２５    横糸
２６    摩擦減少具、例えばランナー
２７    ガイド            ２８    伸張装置
２９    コネクター        ２９ａ  フック
２９ｂ  クリップ          ３０    支持紐
３１    上方折畳み部分    ３２    下方折畳み部分
３３    キャリヤー        ３４    滑動シュー
３５    引き紐            ３６    溝状の窪み
３７    スペーサー        ３８    プーリー
３９    アタッチメント    ４０    フランジ
４１    アタッチメント    ４２    排水溝
４３    支持具            ４４    角部
４５    シャンク          ４６    二重リベット
４７    くぼみ            ４８    フック
４９    広幅部分          ５０    ネック
５１    ループ            ５２    排水溝
５３    片持梁            ５４    バー
【図１】
0003965211.tif 000002
【図２】
0003965211.tif 000003
【図３】
0003965211.tif 000004
【図４ａ】
0003965211.tif 000005
【図４ｂ】
0003965211.tif 000006
【図４ｃ】
0003965211.tif 000007
【図５】
0003965211.tif 000008
【図６】
0003965211.tif 000009
【図７】
0003965211.tif 000010
【図８】
0003965211.tif 000011
【図９】
0003965211.tif 000012
【図１０】
0003965211.tif 000013
【図１１】
0003965211.tif 000014
【図１２】
0003965211.tif 000015
【図１３】
0003965211.tif 000016
【図１４】
0003965211.tif 000017
【図１５】
0003965211.tif 000018
【図１６】
0003965211.tif 000019
【図１７】
0003965211.tif 000020
【図１８】
0003965211.tif 000021